(57)【要約】【課題】上部にフラッシュと操作部材を支持したカメラにおいて、簡単かつ低コストにフラッシュ周りのメンテナンスを行えるようにする。【解決手段】被写体光を撮像媒体の受光面とファインダ光学系に選択的に導くことが可能な光路を形成する光路内包部と、光路内包部の側方に突出する側方突出部と有するカメラにおいて、少なくとも側方突出部の上部で、カメラの内部構造を構成するカメラ本体部を覆ってカメラ外観を形成すると共に操作部材を支持し、光路内包部の上部ではカメラ本体部を覆わずに露出させる主カバーと、主カバーとは別体として形成されてフラッシュ発光部を支持し、光路内包部の上部でカメラ本体部を覆って主カバーと共にカメラ外観を形成する上カバーとを備えた。【選択図】図４
2016048291.tif 000002
【特許請求の範囲】
【請求項１】
被写体光を撮像媒体の受光面とファインダ光学系に選択的に導くことが可能な光路を内包する光路内包部と、上記光路内包部の側方に突出する側方突出部と有するカメラにおいて、
少なくとも上記側方突出部の上部で、上記カメラの内部構造を構成するカメラ本体部を覆ってカメラ外観を形成すると共に上記カメラの操作部材を支持し、上記光路内包部の上部では上記カメラ本体部を覆わずに露出させる主カバー；及び
上記主カバーとは別体として形成されてフラッシュ発光部を支持し、上記光路内包部の上部で上記カメラ本体部を覆って上記主カバーと共にカメラ外観を形成する上カバー；
を有することを特徴とするカメラ。
【請求項２】
上記主カバーは、上記光路内包部と上記側方突出部の前面側に位置する前カバーと、上記光路内包部と上記側方突出部の後面側に位置する後カバーを有し、
上記前カバーと上記後カバーはそれぞれ上記側方突出部の上部で上記カメラ本体部を覆う上面フランジを有し、
上記上カバーは、上記前カバーと上記後カバーの上記上面フランジに連続して上記カメラ本体部を覆う裾部を有していることを特徴とする請求項１に記載のカメラ。
【請求項３】
上記カメラ本体部は上記光路内包部の上部に上記ファインダ光学系を支持しており、上記上カバーは上記ファインダ光学系を覆うことを特徴とする請求項１または２に記載のカメラ。
【請求項４】
上記フラッシュ発光部は、上記上カバー上に構成された回動機構によって回動可能であり、上記回動機構は、上記上カバーが上記カメラ本体部から分離された状態においても回動可能なユニットとして構成されていることを特徴とする請求項１ないし３のいずれか１項に記載のカメラ。
【発明の詳細な説明】
【技術分野】
【０００１】
本発明は、カメラに関し、特にカメラの外面を構成する外装部品の構造に関する。
【背景技術】
【０００２】
一眼レフカメラでは、外面を構成する外装部品として、カメラボディの前面側を覆う前カバーと、後面側を覆う後カバーと、カメラの上部（軍艦部）を全体的に覆う上カバーとを備える場合が多い。近年では撮像用の媒体が銀塩フィルムから撮像素子に変わり、撮像素子を用いるデジタルカメラでは、フィルムカメラのようにフィルムを挿脱させるための裏蓋をカメラ後面側に設ける必要がないという相違があるが、デジタル一眼レフカメラにおける基本的な外装部品のレイアウトは、既存のフィルムカメラを踏襲したものになっていた。
【０００３】
一眼レフカメラの多くは、撮影及び被写体観察用の光路を有する光路内包部から両側に向けて突出部を突出させた基本形状を有する。この形状は、光路内包部の両側にフィルムの送り出し部と巻き上げ部を配したフィルム一眼レフカメラに基づくものであるが、フィルム給送の必要がないデジタル一眼レフカメラにおいても、光路内包部の側方に突出部を設けることが把持性や操作性などの点で合理的であることから、上記の基本形状が維持されている。両側の突出部のうち一方は、手で握りこんで把持することを意図したグリップ形状にされており、このグリップ形状を有する突出部はグリップ部などと呼ばれる。
【０００４】
突出部の上面には、カメラの操作部材として、レリーズボタンを含む各種の押しボタンや、回転可能な操作ダイヤルなどが支持されている。また、フラッシュ（ストロボ）内蔵型の一眼レフカメラでは、光路内包部の上部にフラッシュ発光部が配されている場合が多い。これらの操作部材やフラッシュ発光部は上カバーに組み付けられていた（特許文献１、２）。
【先行技術文献】
【特許文献】
【０００５】
【特許文献１】特開平９-２８１５６１号公報
【特許文献２】特開平９-４３７０１号公報
【発明の概要】
【発明が解決しようとする課題】
【０００６】
従来のカメラでは、フラッシュに関する修理や部品交換を行う場合に、光路内包部とその両側の側方突出部をカバーする大型の外装部材である上カバーを取り外す必要があり、フラッシュ以外の操作部材を含めた大掛かりな分解になってしまうため、手間やコストがかかっていた。そこで本発明は、簡単かつ低コストにフラッシュのメンテナンスを行うことが可能なカメラを提供することを目的とする。
【課題を解決するための手段】
【０００７】
本発明は、被写体光を撮像媒体の受光面とファインダ光学系に選択的に導くことが可能な光路を形成する光路内包部と、光路内包部の側方に突出する側方突出部と有するカメラにおいて、少なくとも側方突出部の上部で、カメラの内部構造を構成するカメラ本体部を覆ってカメラ外観を形成すると共にカメラの操作部材を支持し、光路内包部の上部ではカメラ本体部を覆わずに露出させる主カバーと、主カバーとは別体として形成されてフラッシュ発光部を支持し、光路内包部の上部でカメラ本体部を覆って主カバーと共にカメラ外観を形成する上カバーとを有することを特徴としている。
【０００８】
主カバーの構成要素として、光路内包部と側方突出部の前面側に位置する前カバーと、光路内包部と側方突出部の後面側に位置する後カバーを有し、前カバーと後カバーにそれぞれ側方突出部の上部でカメラ本体部を覆う上面フランジを設けるとよい。上カバーには、前カバーと後カバーの上面フランジに連続してカメラ本体部を覆う裾部を設けるとよい。
【０００９】
カメラ本体部は光路内包部の上部にファインダ光学系を支持しており、上カバーはファインダ光学系を覆うことが好ましい。
【００１０】
フラッシュ発光部は、上カバー上に構成された回動機構によって回動可能であり、この回動機構は、上カバーがカメラ本体部から分離された状態においても回動可能なユニットとして構成されていることが好ましい。
【発明の効果】
【００１１】
本発明のカメラによると、外装部材として、主カバーとは独立して着脱可能でフラッシュ発光部を支持する上カバーを備えたことで、簡単かつ低コストにフラッシュ周りのメンテナンスを行うことができる。
【図面の簡単な説明】
【００１２】
【図１】本発明を適用した一眼レフカメラの前方斜視図である。
【図２】一眼レフカメラの後方斜視図である。
【図３】一眼レフカメラのカメラ本体ブロックから外装部品を外した状態を示す分解斜視図である。
【図４】一眼レフカメラから上カバーを外した状態を示す前方斜視図である。
【図５】一眼レフカメラから側面カバーとグリップカバーを外した状態を示す前方斜視図である。
【図６】一眼レフカメラから側面カバーとグリップカバーを外した状態を図５とは異なる角度から見た前方斜視図である。
【図７】一眼レフカメラのグリップ部の一部を透視して示した前方斜視図である。
【図８】図７のVIII-VIII線に沿って断面視した一眼レフカメラの断面図である。
【図９】内蔵フラッシュを突出させた状態の上カバーの斜視図である。
【図１０】従来の一眼レフカメラの一例を示す斜視図である。
【図１１】図１０の一眼レフカメラから上カバーを取り外した状態を示す斜視図である。
【発明を実施するための形態】
【００１３】
図１及び図２に外観を示す一眼レフカメラ（以下、単にカメラと呼ぶ）１０は、被写体からの光束をイメージセンサ（撮像媒体）７０（図８）の受光面とファインダ光学系とに選択的に導くことが可能な撮影及び観察用の光路を内包する光路内包部１１と、光路内包部１１の両側に突出する第１突出部（側方突出部）１２と第２突出部（側方突出部）１３を有する。以下のカメラ１０についての説明では、光路内包部１１に対して第１突出部１２が突出する方向を右方、光路内包部１１に対して第２突出部１３が突出する方向を左方と定義する。また、被写体側を前方、被写体と反対側を後方と定義する。第１突出部１２は第２突出部１３よりも側方への突出量が大きく、第１突出部１２の先端には把持用のグリップ部１４が設けられている。グリップ部１４は第１突出部１２の中で前方への突出量を大きくした部分であり、光路内包部１１とグリップ部１４の間の前面部分に指掛け凹部１５が形成されている。
【００１４】
光路内包部１１の前面側にはマウント部１６が設けられ、マウント部１６に対して図示しない交換レンズを着脱可能である。光路内包部１１内にはマウント部１６の後方にクイックリターンミラー１７が軸支されている。図３や図４に示すように、クイックリターンミラー１７の上方にはファインダ光学系を構成するペンタダハプリズム１８が支持される。クイックリターンミラー１７は左右方向に軸線を向けた支持軸を中心として揺動可能であり、クイックリターンミラー１７が各図に示すミラーダウン位置にある状態では、交換レンズを通して入射した被写体光をクイックリターンミラー１７で反射してペンタダハプリズム１８に導き、ペンタダハプリズム１８によって正立像とされた被写体像を、光路内包部１１の後面上部に設けたファインダ窓１９（図２）を通して光学的に観察することができる。撮影を行うときには、クイックリターンミラー１７を跳ね上げると共にクイックリターンミラー１７後方のフォーカルプレーンシャッタを開いて、イメージセンサ７０の受光面上に被写体光を入射させて露光動作を実行する。
【００１５】
光路内包部１１の上面部分には格納タイプの内蔵フラッシュ２０が設けられる。内蔵フラッシュ２０は、光路内包部１１の外面に沿う形態で格納される格納位置（図１ないし図７）と、光路内包部１１の上方に向けて突出する突出位置（図９）とに動作可能であり、突出位置に向けて付勢され、ロック機構によって格納位置に保持される。ポップアップボタン２１を押し込むことでロックが解除されて内蔵フラッシュ２０が上方に突出する。内蔵フラッシュ２０の詳細については後述する。
【００１６】
第１突出部１２のうち、グリップ部１４の前面にはリモコン受光窓２２とイルミネーション窓２３が設けられ、指掛け凹部１５の前面にはＡＦ補助光窓２４が設けられている。リモコン受光窓２２は、外部からのリモコン光をグリップ部１４内に設けたリモコン受光部６０（図３、図７）へ透過させる光透過部材である。イルミネーション窓２３は、グリップ部１４内に設けた複数のイルミネーションＬＥＤ６１（図３、図７）が発した光を外部から視認させる縦長の光透過部材である。図７に示すように、複数のイルミネーションＬＥＤ６１は、上下方向に所定の間隔を空けて配設されており、イルミネーション窓２３の全域を照明することができる。各イルミネーションＬＥＤ６１は、カメラ１０の電源投入時やその他の操作を行ったときに発光され、ユーザーにカメラの状態を報知する機能を有する。イルミネーションＬＥＤ６１が発する色や発光態様を変化させることで、報知する情報を変化させることも可能である。ＡＦ補助光窓２４は、暗所で自動合焦（オートフォーカス）動作を行う際の補助光を被写体に向けて投光する部位であり、ＡＦ補助光窓２４の内側に補助光発光部６２（図３）が設けられている。
【００１７】
カメラ１０の背面には、ファインダ窓１９の下方に位置する背面表示パネル２５（図２、図８）が設けられている。背面表示パネル２５は、カメラ１０に関する各種情報表示や撮影した画像の表示に用いられる表示器であり、ＬＣＤパネルなどで構成される。第１突出部１２と第２突出部１３のそれぞれの側面上部には、ストラップを挿通させるためのストラップ環２６が設けられる。図８に示すように、グリップ部１４内には、カメラ１０の電源となるバッテリを収納する電池室２７と、画像データの記録媒体となるメモリカードを挿入させるカードスロット２８が形成されている。電池室２７とカードスロット２８はカメラ１０の底面側に開口しており、このグリップ部１４の底面開口を開閉可能な電池室蓋２９が設けられている。
【００１８】
第１突出部１２の上面には、グリップ部１４上に位置させてレリーズボタン３０と電源スイッチ３１が設けられる。レリーズボタン３０は押圧操作によって露光動作を行わせる操作部材であり、半押し操作による合焦制御や露出制御なども担当する。電源スイッチ３１はレリーズボタン３０の周囲に配した回転スイッチであり、カメラ１０の電源のオンオフを操作する。さらに第１突出部１２の上面側には回転操作ダイヤル３２が設けられる。回転操作ダイヤル３２は、撮影モードに応じた設定値（シャッタスピード、絞り値など）の選択や、その他の各種選択用の操作部材として用いられる。
【００１９】
図２に示すように、第１突出部１２の後面側には、背面表示パネル２５の側方に位置する複合操作部３３が設けられる。複合操作部３３は、中央に位置する中央ボタン３３ａの周囲に４つの方向キー３３ｂを配し、方向キー３３ｂの外側に回転可能なモードダイヤル３３ｃを配した構成である。モードダイヤル３３ｃは撮影モードの選択に用いられる。方向キー３３ｂは感度、フラッシュ、ホワイトバランス、セルフタイマなどの設定入力や、その他の各種選択用（例えば、背面表示パネル２５に示した画像の表示切り替え、オートフォーカスのエリア選択）の操作部材として用いられる。中央ボタン３３ａは選択した内容を確定させるＯＫボタンとして用いられる。
【００２０】
カメラ１０はさらに、第１突出部１２の上面に複数の押しボタン３４を備え、光路内包部１１と第１突出部１２と第２突出部１３にかけての後面に複数の押しボタン３５を備えている。詳細な機能分担の説明は省略するが、これらの押しボタン３４、３５には、カメラ１０の機能メニュー表示、露出補正、記録画像再生、記録画像消去、ライブビューモードへの切り替えなどを操作する機能が適宜割り振られている。
【００２１】
図３に示すように、カメラ１０は、カメラ本体ブロック（カメラ本体部）４０の外側に複数の外装部品を組み付けて構成されている。カメラ本体ブロック４０は、光路内包部１１と第１突出部１２と第２突出部１３に亘るカメラ１０の基本構造を構成するものであり、クイックリターンミラー１７を内部に軸支するミラーボックスを含む本体パーツに対して光学系の各種部品（ペンタダハプリズム１８などのファインダ光学系）や電装系の各種部品（メイン基板など）を支持させている。カメラ本体ブロック４０のうちグリップ部１４の前面側には、メイン基板とは別体のサブ基板６３が固定されており、リモコン受光部６０とイルミネーションＬＥＤ６１はサブ基板６３上に配されている。図８に示すように、カメラ本体ブロック４０には、サブ基板６３と電池室２７との間の前後方向位置に、左右方向へ貫通するグリップ内部空間４０ａが形成されている。
【００２２】
詳細な説明は省略するが、クイックリターンミラー１７を駆動させるミラー駆動機構や、フォーカルプレーンシャッタの駆動に関わるシャッタ駆動機構もカメラ本体ブロック４０に支持されている。電池室２７とカードスロット２８はカメラ本体ブロック４０内に形成されている。電池室蓋２９は、カメラ本体ブロック４０に対してヒンジ機構を介して開閉可能に接続されている。図３、図５ないし図７は電池室蓋２９を開いた状態を示している。
【００２３】
カメラ１０の外装部品は、前カバー（主カバー）４１、後カバー（主カバー）４２、上カバー４３、側面カバー４４、グリップカバー４５によって構成される。前カバー４１、後カバー４２、上カバー４３及び側面カバー４４は、エンジニアリングプラスチックや金属などの強度的に優れた材質で構成される。グリップカバー４５はグリップ部１４を把持した際のグリップ性を高めるべく、摩擦係数の高いゴムなどの材質で構成される。
【００２４】
前カバー４１は、マウント部１６を露出させるための開口部を除いてカメラ本体ブロック４０の前面をほぼ全体的に覆う前面部４１ａを有し、前面部４１ａから光軸方向後方に向けて、第１上面フランジ４１ｂ、第２上面フランジ４１ｃ、左側面フランジ４１ｄ、右側面フランジ４１ｅ、下面フランジ４１ｆを突出させている。前カバー４１のうち前面部４１ａの右側縁部に沿ってイルミネーション窓２３が固定される。イルミネーション窓２３は前カバー４１とは別体として形成され、接着などで前カバー４１に固定される。第１上面フランジ４１ｂのうち前面部４１ａ寄りの部分にレリーズボタン３０と電源スイッチ３１が支持され、その後方に複数の押しボタン３４が支持されている。
【００２５】
後カバー４２は、背面表示パネル２５や複合操作部３３を露出させるための開口部を除いてカメラ本体ブロック４０の後面を覆う後面部４２ａを有し、後面部４２ａから光軸方向前方に向けて、第１上面フランジ４２ｂ、第２上面フランジ４２ｃ、左側面フランジ４２ｄ、右側面フランジ４２ｅ、下面フランジ４２ｆを突出させている。後面部４２ａには複数の押しボタン３５が支持され、第１上面フランジ４２ｂには回転操作ダイヤル３２が支持されている。
【００２６】
前カバー４１と後カバー４２は、前面部４１ａによってカメラ本体ブロック４０の前面を覆い、後面部４２ａによってカメラ本体ブロック４０の後面を覆う形で、カメラ本体ブロック４０を前後から挟んで組み付けられる。この組み付け状態では、第１上面フランジ４１ｂと第１上面フランジ４２ｂが前後に組み合わされて、グリップ部１４を含む第１突出部１２の上面部分の外観を形成する。また、第２上面フランジ４１ｃと第２上面フランジ４２ｃが前後に組み合わされて第２突出部１３の上面部分の外観を形成し、左側面フランジ４１ｄと左側面フランジ４２ｄが前後に組み合わされて第２突出部１３の側面部分（カメラ１０の左側面）の外観を形成する。さらに、下面フランジ４１ｆと下面フランジ４２ｆが前後に組み合わされて、光路内包部１１と第１突出部１２と第２突出部１３に亘るカメラ１０の底面部分の外観を形成する。下面フランジ４１ｆと下面フランジ４２ｆにはそれぞれ、閉じた状態の電池室蓋２９によって塞がれる形状の底面切り欠き４１ｇ、４２ｇが形成されており（図３、図５参照）、閉じた状態の電池室蓋２９は、下面フランジ４１ｆ及び下面フランジ４２ｆと略面一になる。図５に示すように、グリップ部１４（第１突出部１２）の側面（カメラ１０の右側面）部分では、右側面フランジ４１ｅと右側面フランジ４２ｅがカメラ本体ブロック４０の全体を覆う構造になっておらず、前カバー４１と後カバー４２を組み付けた段階では内部構造が露出している。
【００２７】
前カバー４１と後カバー４２はカメラ本体ブロック４０に対して複数箇所のネジ留めで固定される。図３や図５に示すように、グリップ部１４（第１突出部１２）の側面部分では、前カバー４１の右側面フランジ４１ｅがカメラ本体ブロック４０に対して一対のネジ５０によって締結固定され、後カバー４２の右側面フランジ４２ｅがカメラ本体ブロック４０に対して一対のネジ５１によって締結固定される。図３に示すように、カメラ本体ブロック４０の右側面には、一対のネジ５０が螺合する上下一対のネジ螺合部４０ｂと、一対のネジ５１が螺合する上下一対のネジ螺合部４０ｃが形成されている。右側面フランジ４１ｅの後端部に、ネジ５０を挿通させる穴（開口部）が形成された上下一対のネジ留め座４１ｈが形成されており、各ネジ留め座４１ｈの穴に挿通したネジ５０をネジ螺合部４０ｂに螺合させて前カバー４１を固定する。右側面フランジ４２ｅの前端部に、ネジ５１を挿通させる穴（開口部）が形成された上下一対のネジ留め座４２ｈが形成されており、各ネジ留め座４２ｈの穴に挿通したネジ５１をネジ螺合部４０ｃに螺合させて後カバー４２を固定する。
【００２８】
図１、図２、図４、図６ないし図８に示すように、第２突出部１３の側面部分は、前カバー４１の左側面フランジ４１ｄと後カバー４２の左側面フランジ４２ｄがカメラ本体ブロック４０に対して一対のネジ５２によってまとめて締結固定される。後カバー４２の左側面フランジ４２ｄには、前方に向けて突出する一対のネジ留め座４２ｉ（図３、図８）が上下方向に位置を異ならせて突設されている。各ネジ留め座４２ｉにはネジ５２を挿通させる穴（開口部）が形成されており、前カバー４１の左側面フランジ４１ｄにもこれに対応する位置に上下一対の穴（開口部）が形成されている。図８に示すように、前カバー４１の左側面フランジ４１ｄの内側に重なるように各ネジ留め座４２ｉを挿入し、左側面フランジ４１ｄとネジ留め座４２ｉのそれぞれの穴に対してネジ５２を挿入し、カメラ本体ブロック４０に形成したネジ螺合部４０ｄにネジ５２を螺合させて前カバー４１と後カバー４２を固定する。
【００２９】
前カバー４１の下面フランジ４１ｆは複数のネジ５３（図３に一つのみを示す）によってカメラ本体ブロック４０に対して固定され、下面フランジ４２ｆは複数のネジ５４（図３）によってカメラ本体ブロック４０に対して固定される。
【００３０】
以上のようにして前カバー４１をカメラ本体ブロック４０の外側に取り付けた状態では、リモコン受光窓２２がリモコン受光部６０の前方に位置し、イルミネーション窓２３が複数のイルミネーションＬＥＤ６１の前方に位置し、ＡＦ補助光窓２４が補助光発光部６２の前方に位置する。
【００３１】
図３や図４に示すように、前カバー４１は、第１上面フランジ４１ｂと第２上面フランジ４１ｃの間に、上面部分が存在しない上面切り欠き部４１ｉを有する。後カバー４２も同様に、第１上面フランジ４２ｂと第２上面フランジ４２ｃの間に、上面部分が存在しない上面切り欠き部４２ｊを有する。カメラ本体ブロック４０に対して前カバー４１と後カバー４２を組み付けた状態では、上面切り欠き部４１ｉと上面切り欠き部４２ｊに囲まれる領域で、光路内包部１１の内部構造が露出している（図４参照）。また前述のように、グリップ部１４（第１突出部１２）の側面部分でも、前カバー４１と後カバー４２によって完全には覆われることなく内部構造が露出している（図５参照）。前者の光路内包部１１の上面の露出部分については、上カバー４３が組み付けられて外観を形成し、後者のグリップ部１４の側面の露出部分については、側面カバー４４が組み付けられて外観を形成する。図６に示すように、前カバー４１の前面部４１ａには、グリップ部１４において側面カバー４４で覆われる側と反対側（指掛け凹部１５側）の側部に、上下方向に長い凹部４１ｊが形成されており、凹部４１ｊがグリップカバー４５で覆われる。
【００３２】
側面カバー４４の組み付け構造について説明する。図３や図５に示すように、前カバー４１には前面部４１ａと右側面フランジ４１ｅの境界部に周縁段部４１ｋが形成されており、イルミネーション窓２３には周縁段部４１ｋに連続する周縁段部２３ａが形成されている。周縁段部２３ａの後方には、右側面フランジ４１ｅを左右方向に貫通する貫通穴４１ｍが形成されている。第１上面フランジ４１ｂのうち周縁段部４１ｋの後方には、下向きに開口するネジ穴を有するネジ螺合部４１ｎが形成される。右側面フランジ４１ｅと下面フランジ４１ｆの境界部には、上下方向へ貫通する穴（開口部）を有するネジ留め座４１ｐが形成されている。カメラ本体ブロック４０には、ネジ留め座４１ｐの上方に位置して下向きに開口するネジ穴を有するネジ螺合部４０ｅ（図３）が形成されている。ネジ留め座４１ｐは、下面フランジ４１ｆの下面（カメラ１０の底面）に対して上方にオフセットした位置に形成されており、電池室蓋２９を開いた状態ではネジ留め座４１ｐ（とその奥のネジ螺合部４０ｅのネジ穴）がカメラ１０の底面側からアクセス可能に露出し、電池室蓋２９を閉じるとネジ留め座４１ｐが電池室蓋２９によって覆われて外観に表れなくなる。
【００３３】
図６に示すように、前カバー４１の凹部４１ｊには、前後方向に貫通する穴（開口部）を有する上下一対のネジ留め座４１ｑが形成されている。ネジ留め座４１ｑは、凹部４１ｊに対してさらに後方に向けて凹む段差形状をなし、その後端部は平面状に形成されている。カメラ本体ブロック４０の前面には、各ネジ留め座４１ｑの後方に位置して前向きに開口するネジ穴を有する一対のネジ螺合部４０ｆ（図７、図８）が形成されている。
【００３４】
後カバー４２の右側面フランジ４２ｅには凹部４２ｋが形成され、凹部４２ｋの一部に切り欠き４２ｍが形成されている。カメラ本体ブロック４０には切り欠き４２ｍの内側に位置するネジ螺合部４０ｇが形成されている（図３、図５）。後カバー４２にはさらに、第１上面フランジ４２ｂと右側面フランジ４２ｅの境界部に嵌合部４２ｎが形成され、右側面フランジ４２ｅと下面フランジ４２ｆの境界部に嵌合部４２ｐが形成される（図３、図５）。
【００３５】
側面カバー４４は、カメラ本体ブロック４０の右側面を覆う側板部４４ａの周縁にリブ４４ｂを有し、側板部４４ａの内面側に上下一対の固定アーム４６が固定されている。各固定アーム４６は側面カバー４４とは別体として形成されており、ネジ５５によって側面カバー４４の内面側に固定されている。側面カバー４４の内面には、左方に向けて開口するネジ穴を有する上下一対のネジ螺合部４４ｃ（図６、図８）が形成されており、固定アーム４６の基端部をネジ螺合部４４ｃの端部に当て付けた状態でネジ螺合部４４ｃにネジ５５を螺合させることで、固定アーム４６が側面カバー４４の側板部４４ａに対して固定される。固定アーム４６は、側板部４４ａへ固定される基端部に対して略直交する方向（カメラ１０の左右方向）へ長く突出された長板状の延長部を有するＬ字形状をなしており、延長部の先端に前後方向に貫通するネジ挿通穴４６ａを有している。固定アーム４６の材質は任意のものを選択可能であるが、強度確保の観点から金属製とすることが好ましい。
【００３６】
図６に示すように、側面カバー４４の側板部４４ａの上縁付近と下縁付近にはそれぞれ、上下方向に貫通する穴（開口部）を有するネジ留め座４４ｄ、４４ｅが突出形成される。側板部４４ａの後端部には左右方向に貫通する穴（開口部）を有するネジ留め座４４ｆが突出形成される。側板部４４ａの後端部にはさらに、上端付近と下端付近に、側板部４４ａに対して屈曲された嵌合部４４ｇと嵌合部４４ｈが形成されている。
【００３７】
カメラ本体ブロック４０に対して前カバー４１と後カバー４２を先に組み付け、続いて側面カバー４４を組み付ける。リブ４４ｂが周縁段部２３ａと周縁段部４１ｋに嵌合し、ネジ留め座４４ｄがネジ螺合部４１ｎの下面に重なって位置し、ネジ留め座４４ｅがネジ留め座４１ｐの上面に重なって位置し、ネジ留め座４４ｆがネジ螺合部４０ｇの右方に重なって位置する。また、側面カバー４４の組み付けに際しては一対の固定アーム４６を前カバー４１の貫通穴４１ｍに挿入する。貫通穴４１ｍはグリップ内部空間４０ａに連通しており、各固定アーム４６は貫通穴４１ｍとグリップ内部空間４０ａを通してグリップ部１４を左右方向に貫く（図８参照）。各固定アーム４６の先端付近がネジ留め座４１ｑの後面とネジ螺合部４０ｆの前面の間に挟まれ、ネジ挿通穴４６ａがネジ留め座４１ｑの貫通穴と連通する。このようにして前カバー４１に対する側面カバー４４の位置が定まる。また、ネジ留め座４４ｆが切り欠き４２ｍに嵌合し、嵌合部４４ｇと嵌合部４４ｈがそれぞれ嵌合部４２ｎと嵌合部４２ｐに嵌合して、後カバー４２に対する側面カバー４４の位置が定まる。
【００３８】
以上のようにして位置が定まった側面カバー４４をネジ止めで固定する。一対のネジ留め座４１ｑの貫通穴に対してネジ５６を前方から挿入して、ネジ挿通穴４６ａを通してネジ螺合部４０ｆのネジ穴に螺合させる。図８に示すように、ネジ留め座４１ｑとネジ螺合部４０ｆの間には固定アーム４６が挟まれており、ネジ５６を締め付けることでカメラ本体ブロック４０と前カバー４１の間に固定アーム４６が挟持され、固定アーム４６を支持する側面カバー４４が固定される。また、ネジ留め座４４ｄの貫通穴に対してネジ５７（図６）を下方から挿入してネジ螺合部４１ｎのネジ穴に螺合させ、ネジ留め座４１ｐとネジ留め座４４ｅの貫通穴に対してネジ５８（図６）を下方から挿入してネジ螺合部４０ｅのネジ穴に螺合させる。ネジ５７とネジ５８の取り付け作業は、電池室蓋２９を開いた状態で行う。さらに、ネジ留め座４４ｆの貫通穴に対してネジ５９を右方から挿入してネジ螺合部４０ｇのネジ穴に螺合させる。このように、前後方向に軸線が向くネジ５６と、上下方向に軸線が向くネジ５７及びネジ５８と、左右方向に軸線が向くネジ５９によって、側面カバー４４をカメラ本体ブロック４０と前カバー４１と後カバー４２の結合体に対して強固に固定される。
【００３９】
側面カバー４４を取り付けた後、前カバー４１の凹部４１ｊにグリップカバー４５を取り付ける。グリップカバー４５は接着などの手法で前カバー４１に固定される。凹部４１ｊ内に位置するネジ５６をグリップカバー４５が覆うことにより、固定アーム４６とネジ５６を介した側面カバー４４の固定箇所が外観に露出しない状態になる。また、ネジ５７による側面カバー４４の固定箇所は、前カバー４１の第１上面フランジ４１ｂの内面側の隠された位置にあるため外観に露出せず、ネジ５８による側面カバー４４の固定箇所は、電池室蓋２９を閉じることにより外観に露出しなくなる。
【００４０】
さらに、図８に示すように、後カバー４２の凹部４２ｋを覆うコネクタカバー４７が取り付けられる。カメラ本体ブロック４０の右側部には外部機器との接続に用いる複数のケーブルコネクタ６４（図３、図５）が設けられており、ケーブルコネクタ６４を露出させるための開口が凹部４２ｋ内に形成されている。コネクタカバー４７を取り付けると、ケーブルコネクタ６４と共に、ネジ５９による側面カバー４４の固定箇所が覆われる。コネクタカバー４７は着脱（開閉）可能であり、ケーブルコネクタ６４の使用時にはコネクタカバー４７を取り外す。
【００４１】
以上のように、グリップ部１４の側面部分（カメラ１０の右側面）では、カメラ本体ブロック４０に対する前カバー４１と後カバー４２の固定箇所（ネジ５０、５１）を側面カバー４４によって覆い、側面カバー４４の固定箇所（ネジ５６、５７、５８、５９）もカメラ１０の完成状態で外観に表れない非露出締結手段として構成されている。そのため、グリップ部１４周りでは外装部品を固定するネジ類が外観上に露出せず、デザイン的に優れた外装構造となる。
【００４２】
グリップ部１４には、発光表示を行う機能部品として、前面部分を上下方向に縦断する縦長のイルミネーション窓２３が設けられている。前カバー４１と側面カバー４４を別体にしてその間にイルミネーション窓２３を挟む構造にすることで、イルミネーション窓２３のような大型の機能部品をカメラ１０の外観上に無理なく配置することができる。例えば、本実施形態と異なり前カバー４１と側面カバー４４を一体構造の部品にすると、イルミネーション窓２３を取り付けるための縦長の大型開口をカバー部材に貫通形成する必要があり、カバー部材の強度確保や生産性の点で不利になる。これに対して本実施形態では、前カバー４１と側面カバー４４のそれぞれが強度的に優れると共に高精度に製造しやすくなっている。
【００４３】
図８から分かるように、イルミネーション窓２３を挟む前カバー４１と側面カバー４４の境界部分を左右方向に跨ぐように一対の固定アーム４６が延設されており、イルミネーション窓２３とは異なる位置で各固定アーム４６を介して前カバー４１と側面カバー４４を橋絡しているので、前カバー４１と側面カバー４４を強固に結合させることができる。また、図８に示すように、各固定アーム４６は、サブ基板６３と電池室２７の間に形成したグリップ内部空間４０ａを通してグリップ部１４内を左右方向に貫通しており、イルミネーションＬＥＤ６１とイルミネーション窓２３の間の光路を固定アーム４６が遮ることがない。すなわち、グリップ部１４内の機能部品と干渉させずに固定アーム４６を長く延設させ、側板部４４ａから離れた位置（指掛け凹部１５に臨む位置）でネジ５６による固定を行うことにより、側面カバー４４の支持強度を効果的に高めることができる。
【００４４】
続いて、上カバー４３とその組み付け構造について説明する。上カバー４３の最上部には外付けフラッシュなどのカメラアクセサリを着脱可能なホットシュー（アクセサリシュー）６５が設けられており、ホットシュー６５の周囲に内蔵フラッシュ２０が配されている。ホットシュー６５には接点部分を保護するホットシューカバー６６が挿入されている。
【００４５】
図９に示すように、内蔵フラッシュ２０は、キセノン管などの発光体を内部に配した発光部７１と、発光部７１を支持する支持部材７２を有している。支持部材７２は、発光部７１の背面側を覆う背面カバー部７２ａと、背面カバー部７２ａの両側から延設される一対の支持脚７２ｂとを有する。一対の支持脚７２ｂは、発光部７１（背面カバー部７２ａ）から遠い端部付近が不図示の回動軸を介して上カバー４３に対して回動可能に支持されている。一対の支持脚７２ｂはさらに一対の支持アーム７３（図９）を介して上カバー４３に支持される。各支持脚７２ｂの内側には支持脚７２ｂの長手方向へ向けて長溝７２ｃ（図９）が形成されており（図９には片側の支持脚７２ｂにおける長溝７２ｃのみが見えている）、各長溝７２ｃに対して各支持アーム７３の一端部に設けた突起が摺動可能に挿入されている。各支持アーム７３の他端部は、各支持脚７２ｂの軸支部よりも前方で上カバー４３に対して回動可能に支持されていて、支持アーム７３が回動すると、支持アーム７３の先端に設けた突起が長溝７２ｃに沿って移動して支持部材７２の角度（姿勢）を制御する。
【００４６】
以上の支持部材７２と一対の支持アーム７３を介した回動機構により、内蔵フラッシュ２０は、支持脚７２ｂの軸支部を中心とする回動（揺動）を行って、格納位置（図１ないし図７）と突出位置（図９）に動作することができる。支持脚７２ｂの軸支部周りに配したトーションバネ７４（図９）によって、内蔵フラッシュ２０は突出位置に向けて付勢されている。上カバー４３にはロックレバー７５（図９）が設けられており、片側の支持脚７２ｂに形成したロック穴７２ｄ（図９）に対してフック状のロックレバー７５が係合することによって、内蔵フラッシュ２０が格納位置に保持される。ポップアップボタン２１を押し込むと、ロック穴７２ｄへの係合位置からロックレバー７５が退避して、トーションバネ７４の付勢力によって内蔵フラッシュ２０が突出位置へ回動する。
【００４７】
図９に示すように、上カバー４３の上面部には、内蔵フラッシュ２０が格納位置にあるときに発光部７１と背面カバー部７２ａを収容する前方凹部４３ａと、内蔵フラッシュ２０が格納位置にあるときに支持脚７２ｂを収容する左右一対の側方凹部４３ｂが形成されている。ロックレバー７５は片側（左側）の側方凹部４３ｂ上に突出している。上カバー４３はさらに、一対の側方凹部４３ｂの下方に位置する左右一対の裾部４３ｃを有している。それぞれの裾部４３ｃは、内蔵フラッシュ２０が格納位置にある状態で側方凹部４３ｂに収容された支持部材７２の支持脚７２ｂの側面に連続する側面形状を有しており、左側の裾部４３ｃにポップアップボタン２１が支持されている。左右一対の支持脚７２ｂの側面と左右一対の裾部４３ｃの側面はそれぞれ、ホットシュー６５が設けられている上カバー４３の最上部から下方に進むにつれて互いの間隔を大きくする裾広がり形状となっている。各裾部４３ｃの下縁には、前カバー４１の第１上面フランジ４１ｂと第２上面フランジ４１ｃの前後幅に対応する幅の下縁凹部４３ｄが形成されており、各一対の裾部４３ｃの後端部の間には後壁４３ｅ（図２、図３）が形成されている。また、上カバー４３の下面側には複数の係合突起４３ｆ（図３、図４、図９）が設けられている。
【００４８】
前カバー４１には、上カバー４３の複数の係合突起４３ｆを挿入可能な係合穴４１ｒ（図４にそのうちの一つを示す）が形成されている。図３に示すように、後カバー４２における上面切り欠き部４２ｊの内側に、一対のネジ留め座４２ｑが形成されている。各ネジ留め座４２ｑには前後方向に貫通する穴（開口部）が形成されており、カメラ本体ブロック４０には、各ネジ留め座４２ｑの前方に位置する一対のネジ螺合部４０ｈ（図４に一つのみ見えている）が形成されている。
【００４９】
上カバー４３は、複数の係合突起４３ｆを前カバー４１の係合穴４１ｒに係合させ、一対のネジ螺合部４０ｈの後方に後壁４３ｅを当接させて位置が定められる。この状態で各ネジ留め座４２ｑの貫通穴に対して一対のネジ４９（図３）を後方から挿入してそれぞれネジ螺合部４０ｈのネジ穴に螺合させることにより、上カバー４３が固定される。一対のネジ４９による固定箇所は、ファインダ窓１９の周囲に取り付けられるアイピースカップ３６によって覆われる。
【００５０】
このようにして取り付けられた上カバー４３は、上面切り欠き部４１ｉと上面切り欠き部４２ｊの間に形成された前カバー４１と後カバー４２の上面開口部分を塞ぎ、光路内包部１１の上部でカメラ本体ブロック４０を覆ってカメラ１０の外観を構成する。上カバー４３の右側の裾部４３ｃは、光路内包部１１と第１突出部１２の境界に位置し、前カバー４１の前面部４１ａ及び第１上面フランジ４１ｂと後カバー４２の第１上面フランジ４２ｂに対して隙間なく接する（図５参照）。上カバー４３の左側の裾部４３ｃは、光路内包部１１と第２突出部１３の境界に位置し、前カバー４１の前面部４１ａ及び第２上面フランジ４１ｃと後カバー４２の第２上面フランジ４２ｃに対して隙間なく接する（図１、図２、図６及び図７参照）。前カバー４１の第１上面フランジ４１ｂと第２上面フランジ４１ｃは、後カバー４２の第１上面フランジ４２ｂと第２上面フランジ４２ｃに対して若干上方に突出しており（前カバー４１の上面と後カバー４２の上面の間に若干の段差があり）、上方への突出量が大きい第１上面フランジ４１ｂと第２上面フランジ４１ｃが、上カバー４３の下縁凹部４３ｄに対して嵌合する。
【００５１】
カメラ１０では光路内包部１１の上部が上方へ突出した形状になっており、カメラ１０を落下させたりぶつけたりした場合、この上方突出部分に対して衝撃が加わりやすい。つまり、光路内包部１１の上部に設けられた内蔵フラッシュ２０やホットシュー６５に破損が生じるリスクが高い。特に、図９のように内蔵フラッシュ２０を突出させた状態で衝撃が加わると、内蔵フラッシュ２０を回動可能に支持する回動機構に大きな負荷がかかることが想定される。本実施形態のカメラ１０によると、内蔵フラッシュ２０やホットシュー６５を含めてユニット化された上カバー４３を図４のように取り外すことで、カメラ１０の他の部分に影響を及ぼすことなく、内蔵フラッシュ２０やホットシュー６５のメンテナンス（調整、修理、部品交換など）を行うことができる。また、上カバー４３を取り外すことで、光路内包部１１の上部に配したファインダ光学系が露出し、カメラ１０の他の部分に影響を及ぼさずにファインダ光学系のメンテナンスを行うことができる。
【００５２】
特に、カメラ１０の外装部材として前カバー４１や後カバー４２から独立して着脱可能な上カバー４３を備えたことにより、前カバー４１と後カバー４２に支持された各種の操作部材に影響を及ぼすことなく、内蔵フラッシュ２０の内部やファインダ光学系へのアクセスが可能となり、作業効率が著しく向上する。より詳しくは、内蔵フラッシュ２０を支持する回動機構は、上カバー４３をカメラ本体ブロック４０や前カバー４１や後カバー４２から分離させた状態においても内蔵フラッシュ２０を回動させられるように上カバー４３上にユニット化されて構成されているため、上カバー４３を取り外した状態で内蔵フラッシュ２０の動作チェックや修理を行うことができ、作業性に優れる。また内蔵フラッシュ２０（回動機構を含む）やホットシュー６５の交換が必要な場合でも、レリーズボタン３０などの他の操作部材には変更を加えることなく上カバー４３のみを交換すればよいので、作業の手間がかからず、コスト的にも有利である。
【００５３】
本実施形態のカメラ１０との比較例として、従来の一眼レフカメラ（以下、単にカメラと呼ぶ）１１０を図１０と図１１に示す。カメラ１１０は、光路内包部１１１から両側へ第１突出部１１２（グリップ部１１４を含む）と第２突出部１１３を突出させ、カメラ本体ブロック１４０（図１１）を覆う外装部品として前カバー１４１、後カバー１４２及び上カバー１４３を有する。前カバー１４１は、カメラ１１０の前面の略全体と第１突出部１１２及び第２突出部１１３の側面の前側一部を覆い、後カバー１４２は、カメラ１１０の後面の略全体と第１突出部１１２及び第２突出部１１３の側面の後側一部を覆っている。図１１に示すように、前カバー１４１と後カバー１４２はカメラ１１０の上面側は覆っておらず、光路内包部１１１とその両側の第１突出部１１２及び第２突出部１１３に亘るカメラ１１０の上面全体を上カバー１４３が覆う構造になっている。上カバー１４３は、光路内包部１１１の上部に位置する内蔵フラッシュ１２０やホットシュー１６５に加えて、第１突出部１１２の上面に位置するレリーズボタン１３０、電源スイッチ１３１、押しボタン１３４や、第２突出部１１２の上面に位置するモードダイヤル１３３などの操作部材を支持している。図には表れていないが、カメラ１１０の背面側に位置する押しボタンの一部も上カバー１４３に支持されている。このように、内蔵フラッシュ１２０に加えて各種の操作部材を上カバー１４３に集約して支持したことで、上カバー１４３を取り外して内蔵フラッシュ１２０のメンテナンスを行う際に、他の操作部材もカメラ本体ブロック１４０から外れてしまう。これらの操作部材は、上カバー１４３を再度取り付けたときに正常に機能するか動作チェックする必要があり、余分な手間がかかってしまう。また、上カバー１４３を取り外した状態で露出するカメラ本体ブロック１４０の構成要素が多いため、上カバー１４３の組み付け工程において、カメラ１１０の内部部品を損傷させないための配慮に対する負担も大きくなる。さらに、上カバー１４３に支持される部品点数が多いため、上カバー１４３の交換によるコストも高くなる。
【００５４】
このような従来の外装構造を有するカメラ１１０に対し、本実施形態のカメラ１０では、上部構造のうち内蔵フラッシュ２０とその回動機構を含む一部分のみを上カバー４３として個別に着脱可能にしているので、カメラ１１０における上記のような不具合を回避して、内蔵フラッシュ２０周りのメンテナンス性を向上させることができる。
【００５５】
以上、図示実施形態に基づいて本発明を説明したが、本発明はこの実施形態に限定されるものではない。例えば、図示実施形態のカメラ１０は、第１突出部１２（グリップ部１４）の側面を覆う外装部材として側面カバー４４を備えているが、側面カバー４４を設ける代わりに前カバー４１と後カバー４２を延長して第１突出部１２（グリップ部１４）の側面を覆ってもよい。
【符号の説明】
【００５６】
１０  一眼レフカメラ
１１  光路内包部
１２  第１突出部（側方突出部）
１３  第２突出部（側方突出部）
１４  グリップ部
１５  指掛け凹部
１６  マウント部
１７  クイックリターンミラー
１８  ペンタダハプリズム
１９  ファインダ窓
２０  内蔵フラッシュ
２１  ポップアップボタン
２２  リモコン受光窓
２３  イルミネーション窓
２３ａ  周縁段部
２４  ＡＦ補助光窓
２５  背面表示パネル
２６  ストラップ環
２７  電池室
２８  カードスロット
２９  電池室蓋
３０  レリーズボタン
３１  電源スイッチ
３２  回転操作ダイヤル
３３  複合操作部
３３ａ  中央ボタン
３３ｂ  方向キー
３３ｃ  モードダイヤル
３４  ３５  押しボタン
３６  アイピースカップ
４０  カメラ本体ブロック（カメラ本体部）
４０ａ  グリップ内部空間
４０ｂ〜４０ｈ  ネジ螺合部
４１  前カバー（主カバー）
４１ａ  前面部
４１ｂ  第１上面フランジ
４１ｃ  第２上面フランジ
４１ｄ  左側面フランジ
４１ｅ  右側面フランジ
４１ｆ  下面フランジ
４１ｇ  底面切り欠き
４１ｈ  ４１ｎ  ４１ｐ  ４１ｑ  ネジ留め座
４１ｉ  上面切り欠き部
４１ｊ  凹部
４１ｋ  周縁段部
４１ｍ  貫通穴
４１ｒ  係合穴
４２  後カバー（主カバー）
４２ａ  後面部
４２ｂ  第１上面フランジ
４２ｃ  第２上面フランジ
４２ｄ  左側面フランジ
４２ｅ  右側面フランジ
４２ｆ  下面フランジ
４２ｇ  底面切り欠き
４２ｍ  切り欠き
４２ｈ  ４２ｉ  ４２ｑ  ネジ留め座
４２ｊ  上面切り欠き部
４２ｋ  凹部
４２ｎ  ４２ｐ  嵌合部
４３  上カバー
４３ａ  前方凹部
４３ｂ  側方凹部
４３ｃ  裾部
４３ｄ  下縁凹部
４３ｅ  後壁
４３ｆ  係合突起
４４  側面カバー
４４ａ  側板部
４４ｂ  リブ
４４ｃ  ネジ螺合部
４４ｄ  ４４ｅ  ４４ｆ  ネジ留め座
４４ｇ  ４４ｈ  嵌合部
４５  グリップカバー
４６  固定アーム
４６ａ  ネジ挿通穴
４７  コネクタカバー
４９〜５９  ネジ
６０  リモコン受光部
６１  イルミネーションＬＥＤ
６２  補助光発光部
６３  サブ基板
６４  ケーブルコネクタ
６５  ホットシュー
６６  ホットシューカバー
７０  イメージセンサ（撮像媒体）
７１  発光部
７２  支持部材
７２ａ  背面カバー部
７２ｂ  支持脚
７２ｃ  長溝
７２ｄ  ロック穴
７３  支持アーム
７４  トーションバネ
７５  ロックレバー
【図１】
2016048291.tif 000003
【図２】
2016048291.tif 000004
【図３】
2016048291.tif 000005
【図４】
2016048291.tif 000006
【図５】
2016048291.tif 000007
【図６】
2016048291.tif 000008
【図７】
2016048291.tif 000009
【図８】
2016048291.tif 000010
【図９】
2016048291.tif 000011
【図１０】
2016048291.tif 000012
【図１１】
2016048291.tif 000013